(57)【特許請求の範囲】
【請求項１】
重ね合わせ自在かつ見開き自在に互いに取り付けられた２枚以上の板状部を備え、該２枚以上の板状部の見開き部分に所定の表示内容が表示され、給電装置から分離自在に構成された見開き型表示装置であって、
前記２枚以上の板状部のうちの最も外側の１枚の板状部は、蓄光材と、前記給電装置から給電を受けている時に、前記蓄光材に当該板状部の外側面の側から光を照射して前記蓄光材を励起する照射手段と、前記蓄光材からの光を光源光として当該板状部の見開き面側に前記表示内容の表示を出現させる表示形成部と、を有し、
前記２枚以上の板状部のうちの残りの板状部は、当該板状部と隣接する板状部の蓄光材からの光にて励起される蓄光材と、該蓄光材からの光を光源光として当該板状部の見開き面に前記表示内容の表示を形成する表示形成部と、を有する、
ことを特徴とする見開き型表示装置。
【請求項２】
重ね合わせ自在かつ見開き自在に互いに取り付けられた２枚以上の板状部を備え、該２枚以上の板状部の見開き部分に所定の表示内容が表示され、給電装置から分離自在に構成された見開き型表示装置であって、
前記２枚以上の板状部のうちの最も外側の２枚の板状部の各々は、蓄光材と、前記給電装置から給電を受けている時に、前記蓄光材に当該板状部の外側面の側から光を照射して前記蓄光材を励起する照射手段と、前記蓄光材からの光を光源光として当該板状部の見開き面側に前記表示内容の表示を出現させる表示形成部と、を有し、
前記２枚以上の板状部のうちの残りの板状部は、当該板状部と隣接する板状部の蓄光材からの光にて励起される蓄光材と、該蓄光材からの光を光源光として当該板状部の見開き面に前記表示内容の表示を形成する表示形成部と、を有する、
ことを特徴とする見開き型表示装置。
【請求項３】
前記照射手段が、当該板状部の辺部の付近に配置された線状光源又は線状に配列された複数の点状光源と該線状光源又は複数の点状光源からの光を前記蓄光材に略々均一に導く導光手段とを有するバックライトであるか、あるいは、面発光素子を有するバックライトであることを特徴とする請求項１又は２記載の見開き型表示装置。
【請求項４】
前記表示形成部は、遮光部分又は着色透明部分が所定のパターンで形成された板状の透明体を有し、当該表示形成部が当該板状部に交換自在に設けられたことを特徴とする請求項１乃至３のいずれかに記載の見開き型表示装置。
【請求項５】
前記所定の表示内容が、歌詞、楽譜又は飲食店等におけるメニューの内容であることを特徴とする請求項１乃至４のいずれかに記載の見開き型表示装置。
【発明の詳細な説明】
【０００１】
【発明の属する技術分野】
本発明は、楽譜や飲食店等におけるメニューなどの見開き型表示装置に関するものである。
【０００２】
【従来の技術】
従来、楽譜や飲食店等におけるメニューなどは、単なる印刷物等として構成されており、その表示が自発光するようなものではなかった。
【０００３】
【発明が解決しようとする課題】
しかしながら、前記従来のメニュー等では、単なる印刷物等として構成されていたので、室内の照度を抑えて暗くした店内などにおいては、その表示内容が見難い欠点があった。
【０００４】
また、このようなメニュー等は、手に取って見るものであるため、取り扱いが容易となるように薄いことが要請される。
【０００５】
本発明は、このような事情に鑑みてなされたもので、暗い場所でも表示内容が見易く、しかも薄く構成することができる見開き型表示装置を提供することを目的とする。
【０００６】
【課題を解決するための手段】
前記課題を解決するため、本発明の第１の態様による見開き型表示装置は、重ね合わせ自在かつ見開き自在に互いに取り付けられた２枚以上の板状部を備え、該２枚以上の板状部の見開き部分に所定の表示内容が表示され、給電装置から分離自在に構成された見開き型表示装置であって；前記２枚以上の板状部のうちの最も外側の１枚の板状部は、蓄光材と、前記給電装置から給電を受けている時に、前記蓄光材に当該板状部の外側面の側から光を照射して前記蓄光材を励起する照射手段と、前記蓄光材からの光を光源光として当該板状部の見開き面側に前記表示内容の表示を出現させる表示形成部と、を有し；前記２枚以上の板状部のうちの残りの板状部は、当該板状部と隣接する板状部の蓄光材からの光にて励起される蓄光材と、該蓄光材からの光を光源光として当該板状部の見開き面に前記表示内容の表示を形成する表示形成部と、を有するものである。なお、この態様では、板状部の数は２枚でもよいことは勿論である。
【０００７】
この第１の態様による見開き型表示装置は、表示内容を見る前のいわば待機状態では、２枚以上の板状部を重ね合わせて閉じておき、給電装置にて給電される。その結果、最も外側の１枚の板状部の照射手段によって当該板状部の蓄光材に光が照射され、当該蓄光材が励起される。この励起された蓄光材から発する光によって、当該板状部に隣接する板状部の蓄光材が励起される。このようにして、待機状態においては、全ての板状部の蓄光材が励起されることになる。
【０００８】
そして、表示内容を見る場合には、当該見開き型表示装置を手に取って板状部を見開く。このとき、給電装置から分離されるので、給電装置からの給電が停止されて照射手段は消灯するが、各板状部の蓄光材はその蓄光作用により所定時間だけ光を発し続ける。したがって、見開いた板状部の見開き面に、当該板状部の蓄光材からの光を光源として当該板状部の表示形成部によって、所定の表示内容の表示がなされ、その表示を見ることができる。このように、表示内容の表示が蓄光材からの発光により行われるので、暗い場所でも表示内容が見易い。
【０００９】
表示内容を見終わると、前記待機状態に戻される。
【００１０】
このように、前記第１の態様では、蓄光材の特性を巧みに利用することによって、照射手段が最も外側の１枚の板状部にのみ設けられ、しかも給電装置とは分離自在に構成されているので、各板状部を閉じた際の全体の厚みを薄く構成することができ、取り扱いが容易となる。
【００１１】
本発明の第２の態様による見開き型表示装置は、重ね合わせ自在かつ見開き自在に互いに取り付けられた２枚以上の板状部を備え、該２枚以上の板状部の見開き部分に所定の表示内容が表示され、給電装置から分離自在に構成された見開き型表示装置であって；前記２枚以上の板状部のうちの最も外側の２枚の板状部の各々は、蓄光材と、前記給電装置から給電を受けている時に、前記蓄光材に当該板状部の外側面の側から光を照射して前記蓄光材を励起する照射手段と、前記蓄光材からの光を光源光として当該板状部の見開き面側に前記表示内容の表示を出現させる表示形成部と、を有し；前記２枚以上の板状部のうちの残りの板状部は、当該板状部と隣接する板状部の蓄光材からの光にて励起される蓄光材と、該蓄光材からの光を光源光として当該板状部の見開き面に前記表示内容の表示を形成する表示形成部と、を有するものである。なお、この態様では、板状部の数は２枚でもよく、その場合には、前記残りの板状部は存在しないこととなる。
【００１２】
前記第１の態様では、照射手段が最も外側の１枚の板状部にのみ設けられていたのに対し、この第２の態様では、照射手段は最も外側の２枚の板状部に設けられているが、この第２の態様によっても、基本的に、前記第１の態様と同様の動作により同様の利点が得られる。
【００１３】
前記第１の態様では、板状部の枚数が多い場合、照射手段を有する板状部から遠い板状部の蓄光材の励起の程度が小さくなって当該板状部の蓄光材の発光量が低下してしまう可能性がある。これに対し、前記第２の態様では、両側の板状部がそれぞれ照射手段を有しているので、前記第１の態様に比べて、全体の厚みはやや増すものの、より多くの枚数の板状部があっても、蓄光材の発光量の低下を軽減することができる。
【００１４】
本発明の第３の態様による見開き型表示装置は、前記第１又は第２の態様による見開き型表示装置において、前記照射手段が、当該板状部の辺部の付近に配置された線状光源又は線状に配列された複数の点状光源と該線状光源又は複数の点状光源からの光を前記蓄光材に略々均一に導く導光手段とを有するバックライトであるか、あるいは、面発光素子を有するバックライトであるものである。
【００１５】
前記第１及び第２の態様では、前記照射手段の構成は特に限定されるものではないが、照射手段を第３の態様のように構成すると、照射手段の厚みを薄くすることができるので、当該見開き型表示装置全体の厚みを薄くする上で好ましい。
【００１６】
本発明の第４の態様による見開き型表示装置は、前記第１乃至第３のいずれかの態様による見開き型表示装置において、前記表示形成部は、遮光膜又は着色透明膜が所定のパターンで形成された板状の透明体を有し、当該表示形成部が当該板状部に交換自在に設けられものである。
【００１７】
ところで、前記第１乃至第３の態様において、前記蓄光材は、例えば、蓄光性の物質（例えば、蓄光顔料）を含有した板状部材であってもよいし、板状の透明体や光拡散体などの基材上に蓄光性の物質を塗布等により形成したものであってもよい。
【００１８】
そして、前記第１乃至第３の態様では、前記表示形成部は、例えば、蓄光材の表面に印刷や塗布等により所定のパターンで形成した遮光膜又は着色透明膜であってもよいし、蓄光性物質を塗布した基材を蓄光材として用いる場合には、蓄光性物質の基材への塗布等に際して基材上の所定パターンを抜き型の如く蓄光性物質を塗布せずに、当該塗布しないパターンにより表示形成部を構成してもよい。しかしながら、このような場合には、蓄光材と表示形成部とが不可分であるため、必要に応じて表示内容を変えようとすると、蓄光材をも交換せざるを得ず、不経済である。
【００１９】
これに対し、前記第４の態様のように、遮光部分又は着色透明部分が所定のパターンで形成された板状の透明体で表示形成部を構成し、当該表示形成部を当該板状部に交換自在に設けておくと、当該表示形成部のみを交換することによって表示内容を適宜変更することができるので、経済的である。なお、前記第４の態様における板状の透明体は、例えば、遮光膜又は着色透明膜を形成した板状の透明体であってもよいし、写真フィルム等であってもよい。
【００２０】
本発明の第５の態様による見開き型表示装置は、前記第１乃至第４のいずれかの態様による見開き型表示装置において、前記所定の表示内容が、歌詞、楽譜又は飲食店等におけるメニューの内容であるものである。
【００２１】
この第５の態様は、表示内容の例を挙げたものであるが、本発明では、表示内容はこれらの例に限定されるものではない。
【００２２】
なお、本明細書において、板状とは、シート状及びフィルム状を含むものであり、また、可撓性を有していても有していなくてもよいものである。
【００２３】
【発明の実施の形態】
［第１の実施の形態］
図１は、飲食店等のメニューとして構成した本発明の第１の実施の形態による見開き型表示装置１及び給電装置２の待機状態を示す概略斜視図である。図２は、図１中のＡ−Ａ線に沿った概略断面図である。図３は、図１に示す見開き型表示装置１の使用状態を示す概略斜視図である。図４は、図１に示す見開き型表示装置１及び給電装置２を示す電気回路図である。
【００２４】
本実施の形態による見開き型表示装置１は、２枚の板状部１０，３０を備えている。これらの板状部１０，３０は、それらの左辺部が可撓性を有する背貼りシート４０に接着されることによって、図１及び図２に示すように重ね合わせ自在かつ図３に示すように見開き自在に、互いに取り付けられている。なお、図２では、図面表記の便宜上、板状部１０，３０間に隙間を設けているが、実際には、その隙間は存在しない（後述する図５及び図６も同様。）。なお、２枚の板状部１０，３０の取り付け構造が背貼りシート４０を用いた構造に限定されるものではないことは言うまでもない。
【００２５】
板状部１０は、その全体を覆う遮光性を有する樹脂製のカバー１１を有している。ただし、このカバー１１における当該板状部１０の見開き面側には窓が形成され、この窓は透明の保護シート１２で覆われている。
【００２６】
また、板状部１０は、図２に示すように、光拡散板を兼ねる乳白板１３ａとその上に塗布された蓄光性の物質の層１３ｂとからなる蓄光板１３を備えている。このような蓄光板１３に代えて、例えば、樹脂基板内に蓄光性物質を含有させてなる蓄光板を用いてもよい（後述する蓄光板３３についても同様。）。
【００２７】
さらに、板状部１０は、給電装置２から給電を受けている時に、蓄光板１２に当該板状部１０の外側面の側から光を照射して蓄光板１２を励起する照射手段として、次のような構成のバックライトを有している。すなわち、このバックライトは、当該板状部１０の左辺部及び右辺部に沿って当該左辺部及び右辺部の付近にそれぞれ配置された２本の線状光源（例えば、冷陰極管）１４，１５（光源１５は、図２では示されていないが、図４に示されている。）と、光源１４，１５からの光を蓄光板１３に略々均一に導く導光手段としての、反射シート１６及び導光板１７と、を有している。線状光源１４，１５に代えて、線状に配列した複数のＬＥＤ等の点状光源を用いてもよい。また、以上の構成のバックライトに代えて、前記照射手段として、エレクトロルミネッセンス素子等の面発光素子などのバックライトを用いてもよい。もっとも、本発明では、前記照射手段の構成は限定されるものではない。
【００２８】
蓄光板１３と保護シート１２との間には、図２に示すように、当該板状部１０の上辺に開口したポケット１８が形成されている。このポケット１８内には、当該板状部１０の見開き面側にメニューの内容の表示を出現させる表示形成部としての、メニューの内容を示す文字パターンで遮光性物質１９を印刷して表面に形成した透明フィルム２０が、挿入されている。遮光性物質１９に代えて、例えば、着色透明物質を形成してもよい。また、前記表示形成部として、写真フィルム等を用いることもできる。本実施の形態では、このようにポケット１８を形成してそこに透明フィルム２０を挿入しているので、当該透明フィルム２０は当該板状部１０に交換自在に設けられていることとなる。もっとも、前記表示形成部を交換自在にするための構造は、このようなポケットに限定されるものではない。また、表示形成部を交換する必要がない場合などには、前記表示形成部は、遮光性物質１９を印刷した透明フィルム２０に代えて、例えば、蓄光板１３上に形成した遮光膜や着色透明膜であってもよい。また、乳白板１３ａ上に蓄光性物質１３ｂを塗布する際に文字パターンの部分だけ当該蓄光性物質１３ｂを塗布せずに、当該塗布しないパターンを前記表示形成部としてもよい。これらの点は、後述する板状部３０に関しても同様である。
【００２９】
本実施の形態では、給電装置２は、図１のようにスタンド型に構成され、上側に開口した凹部を有している。この凹部内に、板状部１０，３０を重ね合わせた状態で表示装置１の下部を挿入すると、表示装置１が起立状態で支持されるようになっている。図４に示すように、給電装置２は前記凹部内に端子３，４を有し、表示装置１は端子３，４に対応する位置に端子２３，２４を有している。前記起立状態において、端子３，４と端子２３，２４とがそれぞれ互いに機械的に接触して電気的に接続され、表示装置１を給電装置２から持ち上げると、端子３，４と端子２３，２４とがそれぞれ電気的にも機械的にも分離されるようになっている。このように、表示装置１は、給電装置２から分離自在に構成されている。
【００３０】
給電装置２は、図４に示すように、商用電源のコンセントに接続されるプラグ６ａを有する電源コード６に接続された電源回路５を内蔵している。本実施の形態では、電源回路５は、商用電源を受けて直流電圧を出力するように構成され、その出力電圧が端子３，４間に生ずるように配線されている。また、表示装置１の板状部１０には、図１乃至図３には示していないが、図４に示すように、端子２３，２４を介して入力された前記直流電圧に基づいて光源１４，１５を駆動するインバータ等の駆動回路２５，２６が内蔵されている。したがって、表示装置１を給電装置２に起立状態に支持させると光源１４，１５が点灯し、表示装置１を給電装置２から持ち上げると光源１４，１５が消灯することとなる。なお、電源回路１を表示装置１に内蔵させてもよいし、駆動回路２５，２６を給電装置２に内蔵させることも可能である。
【００３１】
再び図１乃至図３を参照すると、板状部３０は、板状部１０と同様に、その全体を覆う遮光性を有する樹脂製のカバー３１を有し、このカバー３１における当該板状部３０の見開き面側には窓が形成され、この窓は透明の保護シート３２で覆われている。また、板状部３０は、図２に示すように、光拡散板を兼ねる乳白板３３ａとその上に塗布された蓄光性の物質の層３３ｂとからなる蓄光板１３を備えている。蓄光板３３と保護シート３２との間には、図２に示すように、当該板状部３０の上辺に開口したポケット３４が形成されている。このポケット３４内には、当該板状部３０の見開き面側にメニューの内容の表示を出現させる表示形成部としての、メニューの内容を示す文字パターンで遮光性物質３５を印刷して表面に形成した透明フィルム３６が、挿入されている。このようにポケット３４を形成してそこに透明フィルム３６を挿入しているので、当該透明フィルム３６は当該板状部３０に交換自在に設けられていることとなる。
【００３２】
なお、本実施の形態では、板状部３０のカバーの外側面には、「Ｍｅｎｕ」の文字パターン３７が単なる印刷により形成されている。
【００３３】
本実施の形態による見開き型表示装置１は、表示内容を見る前のいわば待機状態では、図１及び図２に示すように、板状部１０，３０を重ね合わせて閉じておき、給電装置２に起立状態に支持させると、給電装置２にて給電される。その結果、前述したように板状部１０の光源１４，１５が点灯し、光源１４，１５からの光が、図２中の矢印で示すような光路で当該板状部１０の蓄光板１３に照射され、当該蓄光板１３が励起される。この励起された蓄光板１３から発する光によって、当該板状部１０に隣接する板状部３０の蓄光板３３が励起される。このようにして、待機状態においては、全ての板状部１０，３０の蓄光板１３，３３が励起されることになる。
【００３４】
そして、表示内容を見る場合には、当該見開き型表示装置１を手に取って、図３に示すように板状部１０，３０を見開く。このとき、給電装置２から分離されるので、給電装置２からの給電が停止されて光源１４，１５は消灯するが、各板状部１０，３０の蓄光板１３，３３はその蓄光作用により所定時間だけ光を発し続ける。したがって、見開いた板状部１０，３０の見開き面に、当該板状部１０，３０の蓄光板１３，３３からの光を光源として当該板状部１０，３０の表示形成部１９，２０，３５，３６によって、メニューの内容の表示がなされ、その表示を見ることができる。このように、表示内容の表示が蓄光板１３，３３からの発光により行われるので、暗い場所でも表示内容が見易い。
【００３５】
表示内容を見終わると、前記待機状態に戻される。
【００３６】
このように、本実施の形態では、蓄光板１３，３３の特性を巧みに利用することによって、前記照射手段が最も外側の１枚の板状部１０にのみ設けられ、しかも給電装置２とは分離自在に構成されているので、各板状部１０，３０を閉じた際の全体の厚みを薄く構成することができ、取り扱いが容易となる。
【００３７】
なお、給電装置２にタイマー（図示せず）を設け、電源回路５が前記タイマーからの信号に基づいて作動し、例えば、表示装置１を給電装置２に起立状態に支持させた時から所定時間（蓄光板１３，３３の蓄光に必要な時間）ずつ所定時間間隔で断続的に給電を行うように、構成してもよい。この場合、省エネルギーを図る上で好ましい。この点は、後述する各実施の形態についても同様である。
【００３８】
［第２の実施の形態］
図５は、本発明の第２の実施の形態による見開き型表示装置１０１の待機状態を示す概略断面図であり、図２に対応している。図５において、図２中の要素と同一又は対応する要素には同一符号を付し、その重複する説明は省略する。
【００３９】
本実施の形態による表示装置１０１が前述した第１の実施の形態による表示装置１と異なる所は、以下の点のみである。すなわち、本実施の形態では、板状部３０のカバー３１の外側面にも窓が形成され、この窓は透明の保護シート３８で覆われている。蓄光板３３と保護シート３８との間には、図２に示すように、当該板状部３０の上辺に開口したポケット３９が形成されている。このポケット３９内には、当該板状部１０の外側面の側にメニューの内容の表示を出現させる表示形成部としての、「Ｍｅｎｕ」の文字パターンで遮光性物質５２を印刷して表面に形成した透明フィルム５１が、挿入されている。
【００４０】
本実施の形態によっても、前記第１の実施の形態と同様の利点が得られる。また、本実施の形態では、前記第１の実施の形態と異なり、待機状態及び使用状態のいずれにおいても、暗い場所でも、蓄光板３３からの光によって「Ｍｅｎｕ」の文字を見ることができる。
【００４１】
［第３の実施の形態］
図６は、本発明の第３の実施の形態による見開き型表示装置２０１の待機状態を示す概略断面図であり、図２に対応している。図７は、図６に示す見開き型表示装置２０１の使用状態を示す概略斜視図である。図５及び図６において、図２及び図３中の要素と同一又は対応する要素には同一符号を付し、その重複する説明は省略する。
【００４２】
本実施の形態による見開き型表示装置２０１は、４枚の板状部２１０，２２０，２３０，２４０を備えている。これらの板状部２１０，２２０，２３０，２４０は、それらの左辺部が可撓性を有する背貼りシート２５０に接着されることによって、図６に示すように重ね合わせ自在かつ図７に示すように見開き自在に、互いに取り付けられている。
【００４３】
板状部２１０は図１中の板状部１０と同様に構成され、板状部２２０，２３０はそれぞれ図５中の板状部３０と同様に構成され、板状部２４０は図１中の板状部１０と対称に構成されている。
【００４４】
なお、本実施の形態による見開き型表示装置２０１と共に用いる給電装置は、板状部２１０，２２０，２３０，２４０を重ね合わせた状態で当該給電装置に支持させたときに、給電されて板状部２１０，２４０の各光源が点灯するとともに、当該表示装置２０１を当該給電装置から持ち上げたときには給電が停止されて板状部２１０，２４０の各光源が消灯するように、前述した給電装置２を変形したものとすればよい。
【００４５】
本実施の形態によれば、待機状態においては、前記給電装置にて給電され、板状部２１０，２４０の各光源が点灯し、図６中の矢印で示すような光路で板状部２２０，２３０が順次励起され、全ての板状部２１０，２２０，２３０，２４０の蓄光板１３，３３，３３，１３が励起される。
【００４６】
そして、表示内容を見る場合には、当該見開き型表示装置２０１を手に取って、図３に示すように板状部２１０，２２０，２３０，２４０を見開く。このとき、給電装置から分離されるので、給電装置からの給電が停止されて板状部２１０，２４０光源は消灯するが、各板状部２１０，２２０，２３０，２４０の蓄光板１３，３３，３３，１３はその蓄光作用により所定時間だけ光を発し続ける。したがって、見開いた板状部２１０，２２０，２３０，２４０の見開き面に、当該板状部２１０，２２０，２３０，２４０の蓄光板１３，３３，３３，１３からの光を光源として当該板状部２１０，２２０，２３０，２４０の表示形成部１９，２０，３５，３６によって、メニューの内容の表示がなされ、その表示を見ることができる。このように、表示内容の表示が蓄光板１３，３３からの発光により行われるので、暗い場所でも表示内容が見易い。
【００４７】
なお、本実施の形態を例えば次のように変形してもよい。すなわち、図６において、板状部２２０又は板状部２３０を除去してもよいし、板状部２４０を図２中の板状部３０と同様に構成してもよいし、板状部２４０を図５中の板状部３０と同様に構成してもよい。
【００４８】
以上、本発明の各実施の形態について説明したが、本発明はこれらの実施の形態に限定されるものではない。
【００４９】
例えば、前述した各実施の形態による見開き型表示装置はメニューに適用した例であったが、本発明は、例えば、楽譜や歌詞ブック等にも適用することができる。
【００５０】
また、前述した第３の実施の形態では、板状部２１０，２２０，２３０，２４０をブック型に重ね合わせ自在かつ見開き自在に構成されていたが、用途によっては、蛇腹状に重ね合わせ自在かつ見開き自在に構成してもよい。
【００５１】
【発明の効果】
以上説明したように、本発明によれば、暗い場所でも表示内容が見易く、しかも薄く構成することができる見開き型表示装置を提供することができる。
【図面の簡単な説明】
【図１】本発明の第１の実施の形態による見開き型表示装置及び給電装置の待機状態を示す概略斜視図である。
【図２】図１中のＡ−Ａ線に沿った概略断面図である。
【図３】図１に示す見開き型表示装置の使用状態を示す概略斜視図である。
【図４】図１に示す見開き型表示装置及び給電装置を示す電気回路図である。
【図５】本発明の第２の実施の形態による見開き型表示装置の待機状態を示す概略断面図である。
【図６】本発明の第３の実施の形態による見開き型表示装置の待機状態を示す概略断面図である。
【図７】図６に示す見開き型表示装置の使用状態を示す概略斜視図である。
【符号の説明】
１，１０１，２０１  見開き型表示装置
２  給電装置
１０，３０，２１０，２２０，２３０，２４０  板状部
４０，２５０  背貼りシート
１１，３１  カバー
１２，３２，３８  保護シート
１３，３３  蓄光板
１４，１５  光源
１６  反射シート
１７  導光板
１８，３４，３９  ポケット
１９，３５，５２  遮光物質
２０，３６，５１  透明フィルム
【図１】
0004216384.tif 000002
【図２】
0004216384.tif 000003
【図３】
0004216384.tif 000004
【図４】
0004216384.tif 000005
【図５】
0004216384.tif 000006
【図６】
0004216384.tif 000007
【図７】
0004216384.tif 000008